(57)【要約】【課題】再起動までの時間の短縮を図ることができる脱硫装置、及びそのような脱硫装置を備える燃料電池システムを提供する。【解決手段】燃料電池システム１の脱硫装置３においては、レベラー２０から一時停止信号が入力された場合に、脱硫器７内から貯留容器１９への液体燃料の供給が停止されるように、制御部１５が、入口弁９、ポンプ１１及び出口弁１２を制御する。このとき、温度計１３によって測定される温度、すなわち脱硫器７内の液体燃料の温度が、常温よりも高く且つ通常運転時の温度Ａよりも低い所定の温度Ｂに維持されるように、制御部１５が、ヒータ８を制御する。これにより、脱硫装置３を停止させ常温まで温度を低下させた場合と比べて、通常運転時の温度Ａ、すなわち所定の脱硫温度に加熱するまでの時間が短縮されるので、再起動までの時間の短縮を図ることができる。【選択図】  図２
2010018467.tif 000002
【特許請求の範囲】
【請求項１】
水素を含有する改質ガスを生成する改質器に供給するための液体燃料から硫黄分を除去する脱硫触媒を収容する脱硫器と、
前記脱硫触媒を加熱する加熱手段と、
前記脱硫器内に前記液体燃料を導入させる液体燃料導入手段と、
前記脱硫器内から前記液体燃料を導出させる液体燃料導出手段と、
前記脱硫器内の前記液体燃料の温度を測定する温度測定手段と、
前記加熱手段、前記液体燃料導入手段及び前記液体燃料導出手段を制御する制御手段と、を備え、
前記制御手段は、一時停止信号が入力された場合には、前記脱硫器内からの前記液体燃料の供給を停止させるように前記液体燃料導入手段及び前記液体燃料導出手段の少なくとも一方を制御すると共に、前記温度測定手段によって測定される温度が常温よりも高く且つ通常運転時の温度よりも低い所定の温度となるように、前記加熱手段を制御することを特徴とする脱硫装置。
【請求項２】
前記液体燃料導出手段によって導出された前記液体燃料を一時貯留する貯留容器と、
前記貯留容器に貯留された前記液体燃料の貯留量を測定する貯留量測定手段と、を更に備え、
前記貯留量測定手段は、前記貯留量が所定の貯留量に達した場合には、前記制御手段に前記一時停止信号を出力することを特徴とする請求項１記載の脱硫装置。
【請求項３】
請求項１又は２記載の脱硫装置と、
前記脱硫装置によって硫黄分が除去された液体燃料を用いて、水素を含有する改質ガスを生成する改質器と、
前記改質器によって生成された前記改質ガスを用いて発電を行う燃料電池スタックと、を備えることを特徴とする燃料電池システム。
【発明の詳細な説明】
【技術分野】
【０００１】
本発明は、液体燃料から硫黄分を除去する脱硫装置、及びそのような脱硫装置を備える燃料電池システムに関する。
【背景技術】
【０００２】
燃料電池システムにおいては、改質器によって、水素を含有する改質ガスが生成され、燃料電池スタックによって、その改質ガスが用いられて発電が行われる。このような燃料電池システムには、改質原料として灯油等の液体燃料が改質器に供給される場合に改質触媒の劣化を防止するために、液体燃料から硫黄分を除去する脱硫器を設ける必要がある（例えば、特許文献１参照）。
【特許文献１】特開２００４−３２３２８５号公報
【発明の開示】
【発明が解決しようとする課題】
【０００３】
ところで、脱硫器においては、触媒反応を促進させるために脱硫触媒を加熱することが必要となるが、脱硫触媒を常温から所定の脱硫温度（例えば２００℃）に上昇させるのに相当の時間を要する。そのため、一度停止させてしまうと再起動するまでに時間がかかるといった問題がある。
【０００４】
そこで、本発明は、このような事情に鑑みてなされたものであり、再起動までの時間の短縮を図ることができる脱硫装置、及びそのような脱硫装置を備える燃料電池システムを提供することを目的とする。
【課題を解決するための手段】
【０００５】
上記目的を達成するために、本発明に係る脱硫装置は、水素を含有する改質ガスを生成する改質器に供給するための液体燃料から硫黄分を除去する脱硫触媒を収容する脱硫器と、脱硫触媒を加熱する加熱手段と、脱硫器内に液体燃料を導入させる液体燃料導入手段と、脱硫器内から液体燃料を導出させる液体燃料導出手段と、脱硫器内の液体燃料の温度を測定する温度測定手段と、加熱手段、液体燃料導入手段及び液体燃料導出手段を制御する制御手段と、を備え、制御手段は、一時停止信号が入力された場合には、脱硫器内からの液体燃料の供給を停止させるように液体燃料導入手段及び液体燃料導出手段の少なくとも一方を制御すると共に、温度測定手段によって測定される温度が常温よりも高く且つ通常運転時の温度よりも低い所定の温度となるように、加熱手段を制御することを特徴とする。
【０００６】
この脱硫装置では、一時停止信号が入力された場合に、液体燃料導入手段及び液体燃料導出手段の少なくとも一方が制御手段によって制御されることで、脱硫器内からの液体燃料の供給が停止される。このとき、加熱手段が制御手段によって制御されることで、温度測定手段によって測定される温度、すなわち脱硫器内の液体燃料の温度が、常温よりも高く且つ通常運転時の温度以下の所定の温度に維持される。これにより、脱硫装置を停止させ常温まで温度を低下させた場合と比べて、通常運転時の温度、すなわち所定の脱硫温度に加熱するまでの時間が短縮されるので、再起動までの時間の短縮を図ることができる。なお、硫黄分とは、硫黄や硫黄化合物を含む意味である。
【０００７】
本発明に係る脱硫装置においては、液体燃料導出手段によって導出された液体燃料を一時貯留する貯留容器と、貯留容器に貯留された液体燃料の貯留量を測定する貯留量測定手段と、を更に備え、貯留量測定手段は、貯留量が所定の貯留量に達した場合には、制御手段に一時停止信号を出力することが好ましい。この構成によれば、液体燃料を一時貯留容器で貯留することで、改質器等への液体燃料の供給を安定化することができる。また、貯留容器内の貯留量が所定の貯留量になった場合には、貯留量測定手段が一時停止信号を制御手段に出力するので、例えば貯留量オーバーによる貯留容器の破損等を防止することができる。
【０００８】
また、本発明に係る燃料電池システムは、上記脱硫装置と、脱硫装置によって硫黄分が除去された液体燃料を用いて、水素を含有する改質ガスを生成する改質器と、改質器によって生成された改質ガスを用いて発電を行う燃料電池スタックと、を備えることを特徴とする。
【０００９】
この燃料電池システムによれば、上記脱硫装置を備えているため、再起動までの時間の短縮を図ることができる。
【発明の効果】
【００１０】
本発明によれば、再起動までの時間の短縮を図ることができる。
【発明を実施するための最良の形態】
【００１１】
以下、本発明の好適な実施形態について、図面を参照して詳細に説明する。なお、各図において同一又は相当部分には同一符号を付し、重複する説明を省略する。
【００１２】
図１は、本発明に係る燃料電池システムの一実施形態の構成図である。図１に示されるように、燃料電池システム１は、水素を含有する改質ガスを生成する改質装置２と、改質装置２に供給するための液体燃料から硫黄分を除去する脱硫装置３と、改質装置２によって生成された改質ガスを用いて発電を行う燃料電池スタック４と、を備えている。燃料電池システム１は、例えば、家庭用の電力供給源として利用されるものであり、容易に入手することができ且つ独立して貯蔵することができるという観点から、液体燃料として灯油が用いられている。
【００１３】
改質装置２は、液体燃料を水蒸気改質して改質ガスを生成する改質器５と、改質器５内に収容された改質触媒を加熱するバーナ６と、を有している。バーナ６は、水蒸気改質反応を促進する改質触媒を加熱することで、触媒反応を効果的に発揮させるために必要な熱を改質触媒に供給する。改質器５では、脱硫装置３から導入された液体燃料が気化して原料ガスとなり、改質触媒によって、原料ガスと水蒸気（水）との水蒸気改質反応が促進されて、水素リッチな改質ガスが生成される。
【００１４】
燃料電池スタック４は、複数の電池セルが積み重ねられて構成された固体高分子形燃料電池スタックであり、改質装置２で得られた改質ガスを用いて発電を行う。各電池セルは、アノードと、カソードと、アノードとカソードとの間に配置された電解質である高分子のイオン交換膜と、を有している。各電池セルにおいては、アノードに改質ガスが導入されると共にカソードに空気が導入されて、電気化学的な発電反応が行われる。
【００１５】
図２は、図１の燃料電池システムが備える脱硫装置の構成図である。図２に示されるように、脱硫装置３は、改質器５に供給するための液体燃料から硫黄分を除去する脱硫触媒７ａを収容する脱硫器７を有している。脱硫触媒７ａは、ヒータ（加熱手段）８によって所定の温度に加熱される。脱硫器７の上流側には、脱硫器７内への液体燃料の導入量を調節する入口弁（液体燃料導入手段）９が設けられている。更に、入口弁９の上流側には、脱硫器７内に液体燃料を圧送するポンプ（液体燃料導入手段）１１が設けられている。一方、脱硫器７の下流側には、脱硫器７内からの液体燃料の導出量を調節する出口弁（液体燃料導出手段）１２が設けられている。
【００１６】
また、脱硫器７には、脱硫器７内の液体燃料の温度を測定する温度計（温度測定手段）１３が設けられている。更に、脱硫器７と入口弁９との間には、脱硫器７内の液体燃料の圧力を測定する圧力計（圧力測定手段）１４が設けられている。制御部（制御手段）１５は、所定の信号が出力されると、その信号に応じて、ヒータ８、入口弁９、ポンプ１１及び出口弁１２を制御する。なお、所定の信号とは、起動信号、停止信号、一時停止信号、運転再開信号である。
【００１７】
図１に示されるように、脱硫装置３には、硫黄分が除去された液体燃料が流通する液体燃料流通ライン１６の一端が接続されており、液体燃料流通ライン１６の他端は、脱硫装置３よりも上方に配置された貯留容器１９の側壁に接続されている。貯留容器１９には、貯留量を測定するレベラー（貯留量測定手段）２０が設けられている。レベラー２０は、貯留容器１９内の貯留量が第１貯留量に達した場合には、制御部１５に一時停止信号を出力し、貯留容器１９内の貯留量が第１貯留量よりも低位の第２貯留量に減少して達した場合には、制御部１５に運転再開信号を出力する。
【００１８】
また、貯留容器１９の底壁には、貯留容器１９内において下方に貯留された液体燃料を改質器５に導入するためのポンプ２２が設けられた液体燃料流通ライン２３、及び同液体燃料をバーナ６に導入するためのポンプ２４が設けられた液体燃料流通ライン２５が接続されている。なお、バーナ６には、バーナ６に空気を導入するためのポンプ２６が設けられた空気流通ライン２７が接続されている。このように、貯留容器１９に液体燃料を一旦貯留することで、ポンプ２２による改質器５への液体燃料の供給、及びポンプ２４によるバーナ６への液体燃料の供給を安定化させることができる。
【００１９】
以上のように構成された燃料電池システム１においては、液体燃料は、まず脱硫装置３の脱硫器７に導入され、高温・高圧の状態で脱硫触媒７ａによって硫黄分が除去される。脱硫器７から導出された液体燃料は、液体燃料流通ライン１６を介して貯留容器１９に貯留される。貯留容器１９に貯留された液体燃料は、液体燃料流通ライン２３を介して改質器５に導入される。このとき、バーナ６には、液体燃料流通ライン２５を介して液体燃料が導入されると共に、空気流通ライン２７を介して空気が導入される。これにより、改質器５では、燃焼するバーナ６によって改質触媒が加熱され、液体燃料が用いられて改質ガスが生成される。改質器５で生成された改質ガスは、燃料電池スタック４に導入され、燃料電池スタック４では、改質ガスが用いられて発電が行われる。
【００２０】
次に、脱硫装置３の動作について説明する。図３は、図２の脱硫装置における運転状態と設定温度との関係の一例を示す図であり、図４は、図２の脱硫装置の動作を示すフローチャートである。
【００２１】
図３に示されるように、制御部１５は、運転状態毎に、脱硫器７内の温度の目標値をデータテーブルとして記憶している。温度の目標値は、例えば通常運転時では、１９０℃〜２１０℃（脱硫触媒７ａの触媒反応を促進させ得る所定の脱硫温度：温度Ａ）であり、一時停止時では、１８０℃〜１９０℃（温度Ｂ）である。一時停止時の温度Ｂ（所定の温度）は、停止時の温度（５℃〜３５℃）よりも高く且つ通常運転時の温度Ａよりも低く設定されている。
【００２２】
図４に示されるように、脱硫装置３が起動されている通常運転時において、レベラー２０から一時停止信号が入力されたか否かを制御部１５が判断する（ステップＳ１１）。その結果、一時停止信号が入力された場合には、脱硫器７内への液体燃料の導入を停止させるために制御部１５がポンプ１１を停止させると共に、入口弁９及び出口弁１２を閉じる（ステップＳ１２）。そして、脱硫器７内の液体燃料の温度が温度Ｂになるように、制御部１５がヒータ８を制御する（ステップＳ１３）。
【００２３】
ステップＳ１３の処理の後、レベラー２０から運転再開信号が入力されたか否かを制御部１５が判断する（ステップＳ１４）。その結果、運転再開信号が入力された場合には、脱硫器７内の液体燃料の温度が温度Ａになるように、制御部１５がヒータ８を制御する（ステップＳ１５）。そして、温度Ａで脱硫を行って、硫黄分が除去された液体燃料を改質装置２に再び供給するために、ポンプ１１を作動させると共に、入口弁９及び出口弁１２を開き（ステップＳ１６）、ステップＳ１１の判断処理に戻る。一方、ステップＳ１７において、運転再開信号が入力されなかった場合には、運転再開信号が入力されるまで同処理を繰り返す。
【００２４】
一方、ステップＳ１１の判断処理の結果、一時停止信号が入力されなかった場合には、停止信号が入力されたか否かを制御部１５が判断する（ステップＳ１７）。その結果、停止信号が入力された場合には、制御部１５がポンプ１１を停止させると共に、入口弁９及び出口弁１２を閉じ（ステップＳ１８）、更にヒータ８を停止させ（ステップＳ１９）、脱硫装置３の運転が終了となる。一方、停止信号が入力されなかった場合には、ステップＳ１１の判断処理に戻る。なお、停止信号は、脱硫装置３の動作を停止させるための例えばボタンが押下されることによって、制御部１５に入力される。
【００２５】
以上説明したように、燃料電池システム１の脱硫装置３においては、レベラー２０から一時停止信号が入力された場合に、脱硫器７内から貯留容器１９への液体燃料の供給が停止されるように、制御部１５が、入口弁９、ポンプ１１及び出口弁１２を制御する。このとき、温度計１３によって測定される温度、すなわち脱硫器７内の液体燃料の温度が、常温よりも高く且つ通常運転時の温度Ａよりも低い所定の温度Ｂ（すなわち目標値）に維持されるように、制御部１５が、ヒータ８を制御する。これにより、脱硫装置３を停止させ常温まで温度を低下させた場合と比べて、通常運転時の温度Ａ、すなわち所定の脱硫温度に加熱するまでの時間が短縮されるので、再起動までの時間の短縮を図ることができる。
【００２６】
また、図３に示すように、一時停止時の温度Ｂを通常運転時の温度Ａよりも低い温度とすることで、消費エネルギーの削減が図られる。更に、一時停止時に温度Ｂを常温まで下げないことで、通常運転時との温度差に起因する脱硫触媒７ａの劣化を防止することができる。
【００２７】
また、液体燃料を一旦貯留する貯留容器１９を備え、貯留容器１９の貯留量が第１貯留量に達した場合には、レベラー２０は、制御部１５に一時停止信号を出力する。一方、貯留容器１９の貯留量が第１貯留量よりも低位の第２貯留量に減少して達した場合には、レベラー２０は、制御部１５に運転再開信号を出力する。これにより、例えば貯留量オーバーによる貯留容器１９の破損等を防止することができる。また、第１貯留量よりも低位の第２貯留量に減少して達した場合には、運転再開信号が出力されて脱硫装置３の動作が再開されるので、作業の効率化を図ることができる。
【００２８】
本発明は、上述した実施形態に限定されるものではない。
【００２９】
例えば、一時停止信号が入力された場合には、入口弁９及び出口弁１２の両方を閉じずに、入口弁９のみを閉じてもよい。
【００３０】
また、一時停止信号及び運転再開信号は、レベラー２０からの入力ではなく、例えばボタンが押下されることで入力されてもよい。
【００３１】
また、燃料電池スタック４は、固体高分子形燃料電池スタックに限定されず、固体酸化物形燃料電池スタック等であってもよい。
【００３２】
また、改質器５は、水蒸気改質するものに限定されず、部分酸化改質や自己熱改質するものであってもよい。改質器５による改質方法は、灯油の他、ガソリン、ナフサ、軽油、メタノール、エタノール、ＤＭＥ（ジメチルエーテル）、バイオマスを利用したバイオ燃料等、液体燃料の特性に応じものとされる。
【図面の簡単な説明】
【００３３】
【図１】本発明に係る燃料電池システムの一実施形態の構成図である。
【図２】図１の燃料電池システムが備える脱硫装置の構成図である。
【図３】図２の脱硫装置における運転状態と設定温度との関係の一例を示す図である。
【図４】図２の脱硫装置における動作を示すフローチャートである。
【符号の説明】
【００３４】
１…燃料電池システム、３…脱硫装置、４…燃料電池スタック、５…改質器、７…脱硫器、７ａ…脱硫触媒、８…ヒータ（加熱手段）、９…入口弁（液体燃料導入手段）、１１…ポンプ（液体燃料導入手段）、１２…出口弁（液体燃料導出手段）、１３…温度計（温度測定手段）、１５…制御部（制御手段）、１９…貯留容器、２０…レベラー（貯留量測定手段）。
【図１】
2010018467.tif 000003
【図２】
2010018467.tif 000004
【図３】
2010018467.tif 000005
【図４】
2010018467.tif 000006